(57)【特許請求の範囲】
【請求項１】
布基材を熱成形して、同心円状の複数のコルゲーション（２）を設けたダンパ本体（１Ａ）の一方の面（ａ）に、前記コルゲーション（２）の形状に沿わせて、ダンパ本体（１Ａ）の外周端（３）と内周端（４）とを結ぶ方向に錦糸線を装着したスピーカ用ダンパにおいて、前記錦糸線は中心糸３０番手単糸以下のメタ系アラミッド繊維に母線径０．０８ｍｍ以下の銅線を線径の１／４以下に圧延した銅箔を巻き付けた単位錦糸線を１３本集合して厚さ０．５８ｍｍ以下の平編とした薄い平編錦糸線（５）からなり、かつダンパ本体（１Ａ）と平編錦糸線（５）との間に設けた帯状のポリウレタン（６）の熱融着により一体化されてなることを特徴とするスピーカ用ダンパ。
【請求項２】
請求項１記載のスピーカ用ダンパに係る製造方法において、布基材にフェノール樹脂の如き熱硬化性樹脂を含浸した後、一方の金型上に載置し、この布基材の上に帯状のポリウレタン（６）を載置し、さらにこの帯状のポリウレタン（６）の上に長手方向に沿って、中心糸３０番手単糸以下のメタ系アラミッド繊維に母線径０．０８ｍｍ以下の銅線を線径の１／４以下に圧延した銅箔を巻き付けた単位錦糸線を１３本集合して厚さ０．５８ｍｍ以下の平編とした平編錦糸線（５）を載置し、もう一方の金型を押下し加熱加圧成形することにより、同心円状のコルゲーション（２）を有するダンパ本体（１Ａ）を形成すると同時に、ポリウレタン（６）の融着により平編錦糸線（５）をダンパ本体（１Ａ）に一体化することを特徴とするスピーカ用ダンパの製造方法。
【請求項３】
ポリウレタン（６）は軟質ポリウレタンフォームであることを特徴とする請求項２記載のスピーカ用ダンパの製造方法。
【発明の詳細な説明】
【０００１】
【発明の属する技術分野】
この発明は、各種音響機器として使用されるスピーカの構成部材であるダンパ、さらに詳しくはその面上に錦糸線を装着一体化したスピーカ用ダンパおよびその製造方法に関する。
【０００２】
【従来の技術】
一般にスピーカのボイスコイルはダンパを介し振動可能に支持されている。
【０００３】
また、ボイスコイルのリード線とスピーカの入力端子とは錦糸線によって接続されており、この錦糸線は、通常、振動板とダンパの間の空間に配されるので、動作時に揺動して振動板やダンパに当たって異常音を発生する等の問題があり、スピーカの小型化、薄型化が進むとこの傾向はより顕著となってくる。
【０００４】
この問題を解決するために、最近では接着や縫着等の手段により、ダンパに錦糸線を装着し一体化したものが提供されている。
【０００５】
この先行例としては、例えば特開平２−１３４１００号が存在する。このスピーカ用ダンパは、錦糸線に相当する導電部材をダンパ素材に縫着した構成となっている。
【０００６】
また、他の先行例としては、実開平４−７１０９９号が存在する。この先行例では、ダンパにウレタン系発泡樹脂からなる軽量発泡体を接着固定し、この軽量発泡体に錦糸線を装着する構成としている。
【０００７】
【発明が解決しようとする課題】
しかしながら、前者の特開平２−１３４１００号においては、コルゲーションの形状に沿わせて内周部から外周部に導電部材をミシンと糸とを用いて縫い付けるため、作業が煩雑であり、生産性が悪く、動作時の追従性も悪いという課題があった。
【０００８】
また、後者の実開平４−７１０９９号では、軽量発泡体をダンパに接着する工程と軽量発泡体上に錦糸線を装着する工程とが必要であるため、作業が煩雑であるうえに、ダンパのコルゲーションの山の上に軽量発泡体が重ねて装着されるため、この部分の厚みが大幅に増加してしまい、スピーカの薄型化のニーズには応えられないという課題があった。
【０００９】
この発明は上記のことに鑑み提案されたもので、その目的とするところは、製造を容易とし、追従性にも優れ、スピーカの薄型化にも適した、錦糸線装着スピーカ用ダンパおよびその製造方法を提供することにある。
【００１０】
【課題を解決するための手段】
この発明は、布基材を熱成形して、同心円状の複数のコルゲーション２を設けたダンパ本体１Ａの一方の面ａに、前記コルゲーション２の形状に沿わせて、ダンパ本体１Ａの外周端３と内周端４とを結ぶ方向に錦糸線を装着したスピーカ用ダンパにおいて、前記錦糸線は平編の薄い錦糸線５からなり、かつダンパ本体１Ａと平編錦糸線５との間に設けた帯状のポリウレタン６の熱融着により一体化する構成とし、上記目的を達成している。
【００１１】
すなわち、上記錦糸線は、中心糸３０番手単糸以下のメタ系アラミッド繊維に母線径０．０８ｍｍ以下の銅線を線径の１／４以下に圧延した銅箔を巻き付けた単位錦糸線を１３本集合して厚さ０．５８ｍｍ以下の平編とした平編錦糸線５を用いることにより、上記目的を達成している。
【００１２】
さらに、上記スピーカ用ダンパは、布基材にフェノール樹脂の如き熱硬化性樹脂を含浸した後、一方の金型上に載置し、この布基材の上に帯状のポリウレタン６を載置し、さらにこの帯状のポリウレタン６の上に長手方向に沿って中心糸３０番手単糸以下のメタ系アラミッド繊維に母線径０．０８ｍｍ以下の銅線を線径の１／４以下に圧延した銅箔を巻き付けた単位錦糸線を１３本集合して厚さ０．５８ｍｍ以下の平編とした平編錦糸線５を載置し、もう一方の金型を押下し加熱加圧成形することにより、同心円状のコルゲーション２を有するダンパ本体１Ａを形成すると同時に、ポリウレタン６の融着により平編錦糸線５をダンパ本体１Ａに一体化して製造するようにし、かつこの場合に用いるポリウレタン６としては、軟質ポリウレタンフォームとしたことに特徴を有している。
【００１３】
【発明の実施の形態】
図１は本発明にかかるスピーカ用ダンパの第１実施例の斜視図である。このダンパ１は、リング状をなし、同心円状の複数のコルゲーション２が形成されたダンパ本体１Ａの一方の面ａ上に、波状をなすコルゲーション２の形状に沿わせてダンパ本体１Ａの外周端３から内周端４にかけて一対の平編錦糸線５が帯状のポリウレタン６を介し配置され、このポリウレタン６は軟質ポリウレタンフォームからなり、その融着によって平編錦糸線５とダンパ本体１Ａとは一体化されている。すなわち、これらはダンパ成形時に一体化され、ポリウレタン６も平編錦糸線５もコルゲーションの凹凸に沿った形でダンパ本体１Ａに密着され、全体として薄形構造となっている。
【００１４】
このダンパ基材としては、木綿繊維、アクリル繊維、ポリエステル繊維、アラミッド繊維等の単独または混紡からなる織布が用いられる。
【００１５】
また、ポリウレタン６として軟質ポリウレタンフォームを用いているのは、この軟質ポリウレタンフォームは材質が柔らかく、布素材とのマッチングもよく、追従性を損なうことがなく、熱成形時の融着により平編錦糸線５をダンパ本体１Ａに強固に一体化することができ、成形が容易であるからである。
【００１６】
また、平編錦糸線５としては、中心糸３０番手単糸以下のメタ系アラミッド繊維に母線径０．０８ｍｍ以下の銅線を線径の１／４以下に圧延した銅箔を巻き付けた単位錦糸線を１３本集合して厚さ０．５８ｍｍ以下の平編としたものを用いている。
【００１７】
すなわち、従来の錦糸線は、例えば中心糸４０番手２本撚りのメタ系アラミッド繊維に母線径０．１ｍｍ程度の銅線を圧延してなる銅箔を巻き付けるなどしたものを用いるなどし、このものは厚さ０．７２ｍｍ程度のため、所望のダンパ性能も得難い欠点があった。
【００１８】
本発明では平編錦糸線５を極細の単線を平編に集合させた薄い帯状としている。
【００１９】
このように錦糸線を薄くすると、ダンパ成形時の金型ギャップとダンパ布材との密着性が向上するため、コルゲーション２の形状が安定してダンパ１としての性能を損なうことがない。さらに平編錦糸線５の厚さが薄いと振動による屈曲性能が向上するため、耐久性も改善される。
【００２０】
この平編錦糸線５は上述のように、従来使用されているものより薄い平編構造のものを採用しているので、屈曲性に富み、ダンパ性能を損なうことがなく、良好な性能を得ることができる。
【００２１】
しかして、一対の平編錦糸線５は、第１実施例では、図示のように、リング状のダンパ本体１Ａの外周の一端から他端にかけて直径方向に一連に設けられ、これに伴って一対の帯状のポリウレタン６も同様にして直径方向にそれぞれ設けられている。
【００２２】
このように直径方向に一連に設けたのは、生産性が良く、かつ振動バランスも良いためである。
【００２３】
しかしながら、実際の使用に際しては、ダンパ本体１Ａの開口部７の内周端４からダンパ本体１Ａの外周端３に向かって延びる何れか一方の半径部分側のものが用いられる。
【００２４】
すなわち、図２は各平編錦糸線５を端子板１２の各端子接続部１３に接続した一使用例の斜視図を示し、左側の半径部分側を用いた例を示す。
【００２５】
図２において、ダンパ本体１Ａの内側の開口部７の周縁部、つまりダンパ本体１Ａの内周端４は円筒状のボビン１０の外周部に接着剤を介し結合される。また、何れか一方の半径部分側に設けられた各平編錦糸線５の内端部はボイスコイル１１の巻始め、巻終わりの引出線（図示せず）にそれぞれ電気的に接続される。
【００２６】
平編錦糸線５の外端部は端子板１２の端子接続部１３に接続される。
【００２７】
なお、端子板１２は、周知のように、ほぼ矩形をなす絶縁性のラグ板１４と、このラグ板１４に設けられた一対の端子１３ａとを備え、端子板１２はスピーカを構成するフレーム（図示せず）に固着される。
【００２８】
また、ボビン１０には振動板（図示せず）が結合され、かつダンパ本体１Ａの外周部はフレームに結合されるものである。
【００２９】
次に上記構成のダンパ本体１Ａの製造方法について説明する。
【００３０】
まず、木綿繊維等の如き布からなる所定形状の布基材にフェノール樹脂の如き熱硬化性樹脂を含浸する。その後、一方の金型（図示せず）上にそれぞれ載置し、この布基材の上に帯状のポリウレタン６を載置し、さらにこの帯状のポリウレタン６の上に長手方向に沿って一対の平編錦糸線５を載置し、もう一方の金型（図示せず）を押下し加熱加圧成形することにより、同心円状のコルゲーション２を有するダンパ本体１Ａを形成すると同時に、ポリウレタン６の融着により平編錦糸線５をダンパ本体１Ａに容易に一体化し得、上記した本発明にかかるダンパ１を製造することができる。
【００３１】
図３は本発明の第２実施例の斜視図を示す。
【００３２】
この実施例では、帯状のポリウレタン６および一対の平編錦糸線５を、リング状のダンパ本体１Ａの一方の面ａの一方の半径部分側にのみ設けた点に特徴を有している。
【００３３】
この場合、第１実施例に比べ、ポリウレタン６と平編錦糸線５との材料が半分ですむため、その分、材料費を節約し得る。
【００３４】
なお、その他の構成および製造方法は基本的に第１実施例と同様である。
【００３５】
図４は本発明の第３実施例を斜視図を示す。
【００３６】
この実施例では、端子板の形状などに対応すべく、帯状のポリウレタン６および一対の平編錦糸線５を、ダンパ本体１Ａの一方の面ａの半径部分において、内周端４から外周端３に向かって、ほぼハの字状に広がるように設けた点に特徴を有している。
【００３７】
他の構成などは第１実施例と同様である。
【００３８】
【発明の効果】
以上のように本発明によれば、薄型であり、かつ平編錦糸線５はいちいちダンパ本体１Ａに縫いつける必要がなく、ポリウレタン６を介しダンパ本体１Ａに一体化できるため、製造が容易である。
【００３９】
また、平編錦糸線５は極薄で折曲性が良いため、コルゲーション２の形状に沿ってダンパ本体１Ａ上に設けることができ、追従性に優れ、スピーカの薄型化に適したダンパ１を得ることができる。
【図面の簡単な説明】
【図１】本発明の第１実施例の斜視図を示す。
【図２】本発明の第１実施例のものを端子板に接続した状態を示す。
【図３】本発明の第２実施例の平面図を示す。
【図４】本発明の第３実施例の平面図を示す。
【符号の説明】
１    ダンパー
１Ａ  ダンパ本体
２    コルゲーション
３    外周端
４    内周端
５    平編錦糸線
６    ポリウレタン
７    開口部
１０    ボビン
１１    ボイスコイル
１２    端子板
１３    端子接続部
１３ａ  端子
１４    ラグ板
ａ    一方の面
【図１】
0003942053.tif 000002
【図２】
0003942053.tif 000003
【図３】
0003942053.tif 000004
【図４】
0003942053.tif 000005